(57)【要約】      （修正有）【課題】プランターの水供給装置として実用上好適な装置を提供する。【解決手段】下部に多孔板３を敷設して上部側を培土室５、下部側を貯水室４としたプランター１に、無底円筒体９を収容して前記貯水室４に通じる、フロート１０の案内室を設ける。該案内室に円柱状のフロート１０を縦動自在に嵌合し、該フロート１０の上面中央に、フロート１０が前記多孔板３位置に浮上したとき、一端の接触子が接する揺動片１３の他端を、前記フロート案内室１１の上壁に吊設した支承片に揺動自在に枢着する。そして、該揺動片１３の長手方向の中間部には、前記上壁に設けた注水口を開閉する弁体を装置し、前記注水口にストレーナ１５を介して連通する水道管路１７を、前記プランター１外部に導出する。【選択図】図１
0003152201.tif 000002
【実用新案登録請求の範囲】
【請求項１】
下部に多孔板を敷設して上部側を培土室、下部側を貯水室としたプランターに、無底円筒体を収容して前記貯水室に通じる、フロートの案内室を設け、該案内室に円柱状のフロートを縦動自在に嵌合し、該フロートの上面中央に、フロートが前記多孔板位置に浮上したとき、一端の接触子が接する揺動片の他端を、前記フロート案内室の上壁に吊設した支承片に揺動自在に枢着し、該揺動片の長手方向の中間部には、前記上壁に設けた注水口を開閉する弁体を装置し、前記注水口にストレーナを介して連通する水道管路を、前記プランター外部に導出した、プランターの水供給装置。
【請求項２】
無底円筒体で、フロートの案内室を取り囲んだ、請求項１記載のプランターの水供給装置。
【考案の詳細な説明】
【技術分野】
【０００１】
本考案は、栽培植物が育成中の培土に自動的に水を供給するようにした、プランターの水供給装置に関するものである。
【背景技術】
【０００２】
プランターの一側に給水装置を設け、給水装置は、上部側の貯水タンクからの水を、下部側の水溜室を経て培土室の培土中に給水するようにし、水溜室に装置したフロートが水溜室に溜め込まれた水量によって浮上して貯水タンクと水溜室間の止水弁を閉じて貯水タンクからの給水を中断し、水がなくなれば、止水弁が開放され水溜室への給水が行われ、培土中への水の供給を行うようにした構造のものがある（例えば、特許文献１）。
【先行技術文献】
【特許文献】
【０００３】
【特許文献１】特開平１１−１９２０２９号公報
【考案の概要】
【考案が解決しようとする課題】
【０００４】
前記従来構造のものは、水溜室と培土室はその隔壁に設けた通水孔で連通しているので、水溜室と培土室は水位が同じとなり、水の供給過多となり、水供給装置として必ずしも適切ではない。
【０００５】
また、貯水タンクから得て水を供給するため、自動的に水を供給することを意図したにも係らず、貯水タンクへの水の供給を怠り、給水が中断されるおそれもあり、実用性に欠ける。
【０００６】
本考案は、斯様な従来例の欠点に着目し、プランターの水供給装置として実用上好適な装置を提供することを目的として突出したものである。
【課題を解決するための手段】
【０００７】
下部に多孔板を敷設して上部側を培土室、下部側を貯水室としたプランターに、無底円筒体を収容して前記貯水室に通じる、フロートの案内室を設け、該案内室に円柱状のフロートを縦動自在に嵌合し、該フロートの上面中央に、フロートが前記多孔板位置に浮上したとき、一端の接触子が接する揺動片の他端を、前記フロート案内室の上壁に吊設した支承片に揺動自在に枢着し、該揺動片の長手方向の中間部には、前記上壁に設けた注水口を開閉する弁体を装置し、前記注水口にストレーナを介して連通する水道管路を、前記プランター外部に導出したことを基本的手段とする。
【０００８】
この基本的手段に無底円筒体で、フロートの案内室を取り囲んだ点を付加することにより成育する根がからまることなく、当初の状態を維持して水の供給操作を円滑に行うことができる。
【考案の効果】
【０００９】
本考案によれば、培土室の下側に貯水室を配し、該貯水室に連通する案内室内においてフロートを浮上させて貯水室内への水の供給を自動的に中断させる構成を採るものであるから、水面が培土室の培土に接する位置以上に上昇することはなく、従って、培土への水の供給過多が生じることなく、実用的なプランターの水供給装置を提供でき、水道管路を利用するものであることから水の供給忘れが全くない、水の供給装置を提供できる。
【図面の簡単な説明】
【００１０】
【図１】縦断面図。
【図２】図１の一部拡大図。
【図３】図２の一部欠截底面図。
【実施例】
【００１１】
図面は本考案に係るプランターの水供給装置の一実施例を示し、１はプランターで、プランター１は、下部に収納した支持枠２上に多孔板３を載置、敷設して、内部を下部側の貯水室４と上部側の培土室５に区画し、培土室５に充填した培土ｅ中に植物ｂを植込み、該植物ｂに前記貯水室４から培土ｅを通じて水を供給するようにしたものである。
【００１２】
図示、６は、プランター１を上部側の培土室５と下（底）部側の貯水室４とに区画する前記多孔板３に設けた嵌合孔７に嵌通させて、プランター１の底壁１ａ上に載置して立設した区画筒で、区画筒６で取り囲んで成る空室８は、該区画筒６を前記底壁１ａとの間の隙間ａを通じて前記貯水室４に連通し、この空室８には、区画筒６と同様に底壁１ａ上に無底円筒体９を載置して、該無底円筒体９で取り囲んで構成した、フロート１０の案内室１１を設けてある。
【００１３】
案内室１１は、該案内室１１を構成する無底円筒体９と前記底壁１ａ間の隙間ａ´を通じて、前記空室８および前記隙間ａ順次介して前記貯水室４に連通し、空室８を通じて貯水室４に連通することにより、貯水室４と同水位になるようにしてある。
【００１４】
この案内室１１には、該案内室１１より径を小さくした円柱状の前記フロート１０を縦動自在に嵌合し、該フロート１０の上面中央には針部１２ｂをフロート１０内に嵌入させて一体的にした、金属製の補強片１２を装置し、該補強片１２によって一端の接触子１３ａが押し上げられる揺動片１３を、前記無底円筒体９の上蓋材９ｂに揺動自在に支持させてある。
【００１５】
無底円筒体９は円筒主体９ａの上端部に厚肉の前記上蓋材９ｂを嵌合、止着して構成し、上蓋材９ｂには、軸線上に注水口１４ａを備えた注水材１４を螺合して取付け、注水材１４の内側には、前記軸線上位置にして焼結金属で成るろ材１５ａを通じて前記注水口１４ａに連通するストレーナ１５を設け、該ストレーナ１５は、前記注水材１４に螺合接続したホース接続材１６に組付けたホース１７に連通させてある。
【００１６】
一端に前記接触子１３ａを備えた前記揺動片１３は、案内室１１の上壁を構成する前記上蓋材９ｂに吊設した支承片１８に他端を揺動自在に枢着され、この枢着部と前記接触子１３ａとの間すなわち長手方向の中間部に弁体１９を装置し、該弁体１９が接離する弁座２０を前記注水口１４ａを構成する突子を前記注水材１４に設けてある。
【００１７】
前記区画筒６は、上端部をプランター１内に収容した培土ｅより突出させて開口上端を蓋体６ａで閉塞して、内側延いては貯水室４等への虫の侵入を防ぎ、植物ｂの根が無底円筒体９等にからまるのを防ぎ、円滑な水の供給操作を行うためのものである。前記ホース（供給管）１７はこの区画筒６の蓋体６ａを通じてプランター１外部に導出し元栓に連通して水道管路を構成する。
【００１８】
そして、水道管路すなわちホース１７を通じて水を供給すると、水はストレーナ１５でろ過されて注水口１４ａを通じて案内室１１に注入され、案内室１１と貯水室４は隙間ａ，ａ´を通じて連通しているので、同水位となって予め設定した多孔板３位置の水位まで上昇し、当該水位に至ると、案内室１１内で浮上したフロートは接触子１３ａを押し上げ、その結果、揺動片１３は揺動し、揺動片１３に備えた弁体１９は弁座２０部に接触して注水口１４ａを閉塞して水の供給を中断させるのである。
【００１９】
そして、この状態で貯水室４中の水が培土ｅに浸み込んで植物ｂに吸引されて減少すると、フロート１０は、該減少に従って降下し、降下によって弁体１９が弁座２０から離れ、再び注水口１４ａから水が供給され、植物ｂは適度に水が補給され、育成されるのである。
【符号の説明】
【００２０】
１          プランター
３          多孔板
４          貯水室
９          無底円筒体
１０        フロート
１１        案内室
１３        揺動片
１３ａ      接触子
１４ａ      注水口
１５        ストレーナ
１７        水道管路
１８        支承片
【図１】
0003152201.tif 000003
【図２】
0003152201.tif 000004
【図３】
0003152201.tif 000005